(57)【要約】      （修正有）【課題】消火操作の際のロッドと操作つまみの衝突による衝撃を緩和して操作感が損なわれることを防止することのできる点消火装置を提供する。【解決手段】点消火ボタンを燃焼位置から消火位置に戻す際にロック機構によるロックが解除された規制部材８を手前側に移動させる付勢手段を設けると共に、この付勢手段によって規制部材が手前に戻る際に、規制部材が点消火ボタンに衝突することによって生じる衝撃を緩和する緩衝手段を設けた。【選択図】図８
2016061482.tif 000002
【特許請求の範囲】
【請求項１】
前後方向に移動自在であって押し込み操作によってガスバーナへのガスの通路を開閉する点消火ボタンを備え、この点消火ボタンを消火位置から点火位置まで押し込むと、前後方向に長手であって途中に元弁が設けてられているロッドを点消火ボタンが押して、元弁を開弁すると共にロッドの先端で電磁安全弁に設けられた弁体を強制的に開弁させて電磁安全弁に内蔵されている電磁石に弁体を押接し、その点火位置から点消火ボタンに対する押し込み力を解除すると、点消火ボタンは消火位置よりも手前側に設定された燃焼位置まで付勢力によって後退する点消火装置において、点消火ボタンと上記ロッドとの間に前後方向に移動自在な規制部材を介在させ、点消火ボタンを消火位置から点火位置まで押し込む際には、点消火ボタンが規制部材と共にロッドを押し込み、点消火ボタンが燃焼位置まで後退する際に、規制部材の手前側への移動を途中でロックしてロッドに設けられた元弁を開弁状態に保持するロック機構を設け、点消火ボタンを燃焼位置から消火位置に戻す際にロック機構によるロックが解除された規制部材を手前側に移動させる付勢手段を設けると共に、この付勢手段によって規制部材が手前に戻る際に、規制部材が点消火ボタンに衝突することによって生じる衝撃を緩和する緩衝手段を設けたことを特徴とする点消火装置。
【発明の詳細な説明】
【技術分野】
【０００１】
本発明は、押し込み操作によってガスバーナへのガスの通路を開閉する点消火ボタンを備えた点消火装置に関する。
【背景技術】
【０００２】
ガスコンロでは点消火及び火力調節はガスコンロの前面パネルに設けられた点消火ボタンや火力調節つまみで行う。従来はこれら点消火ボタンと火力調節つまみとを別個に設けていたが、デザイン上の要請から、これら点消火ボタンと火力調節つまみとをまとめて１個の操作つまみとし、操作つまみを押すことにより点消火をおこない、かつ操作つまみを回動することによりガスバーナの火力を調節するようにしたものが知られている（例えば、特許文献１参照）。
【０００３】
このものでは、点消火ボタンとして機能する操作つまみが消火位置にある状態では、操作つまみがガスコンロの前面パネルから突出しないように設定し、操作つまみを点火位置まで押し込んだ後、押し込み力を解除すると、操作つまみが前面パネルから手前に突出して、操作つまみが回動しやすくなるように、また、燃焼中であることを視認しやすくなるように、構成されている。
【０００４】
一方、操作つまみを消火位置から点火位置まで押し込むと、電磁安全弁の弁体を強制的に開弁させて、その弁体を電磁安全弁に内蔵されている電磁石に押接させるロッドが設けられている。また、このロッドの途中には元弁が設けられており、消火位置から点火位置まで操作つまみを押し込むことによってロッドが移動すると、元弁が閉弁状態から開弁する。そして、操作つまみが点火位置から燃焼位置まで戻るとロッドも手前方向に戻るが、ロッドに設けた元弁が開弁する位置でロッドをロックする必要がある。
【０００５】
燃焼位置が消火位置よりも押し込み側に設定されていれば、ロッドの手前側への移動を操作つまみに当接させることによって元弁を開弁状態で保持することができるが、上述のように、燃焼位置が消火位置よりも手前側に設定されていると、ロッドを操作つまみによって途中位置でロックしようとしても、元弁が閉弁してガスバーナへガスを供給できなくなる。
【０００６】
そのため、特許文献１に記載されたものでは、操作つまみが点火位置から燃焼位置まで戻る際にロッドを途中位置でロックして元弁を開弁状態で保持するロック機構が設けられている。
【先行技術文献】
【特許文献】
【０００７】
【特許文献１】特開平６−５８５３５号公報（図２）
【発明の概要】
【発明が解決しようとする課題】
【０００８】
上記従来の点消火装置では、操作つまみが燃焼位置にある状態では、ロック機構によってロッドは途中位置でロックされているが、操作つまみを燃焼位置から消火位置まで戻す際に、ロック機構によるロックが解除され、ロッドは手前側に移動し元弁が閉弁する。ただし、その際ロッドは手前側に移動するのに対して操作つまみは奥側に移動しているので、両者が衝突し、その振動が操作つまみに伝わる。その状態では操作つまみに押し込みのため指が触れているので、衝突の振動が指に伝わり、操作感が損なわれるという不具合が生じる。
【０００９】
そこで本発明は、上記の問題点に鑑み、消火操作の際の衝突の衝撃を緩和して操作感が損なわれることを防止することのできる点消火装置を提供することを課題とする。
【課題を解決するための手段】
【００１０】
上記課題を解決するために本発明による点消火装置は、前後方向に移動自在であって押し込み操作によってガスバーナへのガスの通路を開閉する点消火ボタンを備え、この点消火ボタンを消火位置から点火位置まで押し込むと、前後方向に長手であって途中に元弁が設けてられているロッドを点消火ボタンが押して、元弁を開弁すると共にロッドの先端で電磁安全弁に設けられた弁体を強制的に開弁させて電磁安全弁に内蔵されている電磁石に弁体を押接し、その点火位置から点消火ボタンに対する押し込み力を解除すると、点消火ボタンは消火位置よりも手前側に設定された燃焼位置まで付勢力によって後退する点消火装置において、点消火ボタンと上記ロッドとの間に前後方向に移動自在な規制部材を介在させ、点消火ボタンを消火位置から点火位置まで押し込む際には、点消火ボタンが規制部材と共にロッドを押し込み、点消火ボタンが燃焼位置まで後退する際に、規制部材の手前側への移動を途中でロックしてロッドに設けられた元弁を開弁状態に保持するロック機構を設け、点消火ボタンを燃焼位置から消火位置に戻す際にロック機構によるロックが解除された規制部材を手前側に移動させる付勢手段を設けると共に、この付勢手段によって規制部材が手前に戻る際に、規制部材が点消火ボタンに衝突することによって生じる衝撃を緩和する緩衝手段を設けたことを特徴とする。
【００１１】
上記緩衝手段を設けたことにより規制部材が点消火ボタンに衝突することによって生じる衝撃を緩和することができ、その結果、消火操作時に指に伝わる衝撃が小さくなる。
【発明の効果】
【００１２】
以上の説明から明らかなように、本発明は、消火操作時に指に伝わる衝撃が小さくなるので、操作感が損なわれない。
【図面の簡単な説明】
【００１３】
【図１】本発明の点消火装置が適用されるガスコンロの正面から見た斜視図
【図２】ガスコンロ内の配管状態を示す図
【図３】点消火装置の斜視図
【図４】点消火装置の分解斜視図
【図５】ハートカムのカム溝の形状を示す図
【図６】ハートカムの位置とバネ棒の状態を示す図
【図７】操作つまみが消火位置から点火位置を経て燃焼位置に移動する状態を示す断面図
【図８】緩衝手段の機能を説明する図
【図９】他の緩衝手段の機能を説明する図
【発明を実施するための形態】
【００１４】
図１を参照して、１は本発明による点消火装置が適用されるガスコンロである。このガスコンロ１の上面には天板１１が設けられており、その天板１１には３個のガスバーナ１１ａ、１１ｂ、１１ｃが設けられている。一方、このガスコンロ１の前面パネル１２には各ガスバーナ１１ａ、１１ｂ、１１ｃの点消火操作及び火力調節操作を行うための火力調節装置１３ａ、１３ｂ、１３ｃが設けられ、各火力調節装置１３ａ、１３ｂ、１３ｃに各々点消火装置が組み込まれている。また、前面パネル１２の略中央にはグリル庫１４が設けられており、グリル庫１４内には上火バーナ１４ａと下火バーナ１４ｂとが設置されている。そして、上火バーナ１４ａと下火バーナ１４ｂの点消火及び火力調節は火力調節装置１５によって行われる。
【００１５】
図２を参照して、本実施の形態では、ガスの供給管路は４本に並設に分岐され、その分岐された供給管路の各々に火力調節装置１３ａ、１３ｂ、１３ｃ，１５が設けられている。火力調節装置１３ａを例に説明すると、火力調節装置１３ａ内には火力調節装置とともに点消火を行うための開閉弁部２と火力調節を行うための流量調節部３とを備えている。
【００１６】
開閉弁部２内には手動操作により開弁される元弁２１ａと電磁安全弁の弁体２２ａとが直列に設けられている。一方、流量調節部３にはモータ３１が連結されており、モータ３１を駆動させることにより流量を増減するように構成されている。なお、火力調節装置１３ｂ、１３ｃは共に火力調節装置１３ａと同じ構造であるが、火力調節装置１５は開閉弁部２は同じ構造であるものの流量調節部３の構造が他のものと相違する。
【００１７】
火力調節装置１５の流量調節部３は並列な２系統に分岐され、その各々に電磁力によって開閉する開閉弁１５ａ、１５ｂが設けられ、かつ、両開閉弁１５ａ、１５ｂをバイパスするオリフィス１６が設けられている。従って、例えば開閉弁１５ａが開弁すれば上火バーナ１４ａの火力は強火になり、開閉弁１５ａが閉弁すればオリフィス１６を通るガスによって弱火になる。
【００１８】
図３および図４を参照して、引き続き火力調節装置１３ａを例に、火力調節装置１３ａの構造を説明する。４１は点消火ボタンおよび火力調節つまみとして機能する操作つまみで有り、点消火操作時に押し込まれ、また火力調節操作時には外周面をつままれて回動されるものである。この操作つまみ４１の内側には操作つまみ４１と一体であり操作つまみ４１の一部となって進退し、かつ回動する内部材４２が連結されており、この内部材４２は回動部材４４に対して前後方向に移動自在に係合している。そして、内部材４２と回動部材４４との間にはコイルバネ４３が縮設されており、操作つまみ４１は内部材４２を介して常に前方に向かって付勢されている。
【００１９】
回動部材４４は板金製のブラケット４７に係合するガイド軸４８に遊嵌し、ガイド軸４８を中心に回動することができる。なお、ガイド軸４８には回動部材４４が前方に移動しないように係合する係合爪が設けられており、またコイルバネ４３の反作用により回動部材４４はブラケット４７に押し付けられるので、回動部材４４は前後方向に移動することなく回動のみすることができる。回動部材４４は内部材４２に対して係合しているので、操作つまみ４１を回動すると内部材４２を介して回動部材４４が回動することになる。
【００２０】
回動部材４４の後端部外周面にはギヤ４４ａが形成されており、このギヤ４４ａにはピニオン４５が噛合する。このピニオン４５は回転センサであるロータリーエンコーダ４６の軸４６ａに嵌着している。従って、回動部材４４が回動するとロータリーエンコーダ４６の軸４６ａが回転する。このロータリーエンコーダ４６内には電気的なスイッチが設けられており、軸４６ａが回転すると所定の角度毎にスイッチがオン・オフを繰り返すので、軸４６ａが所定角度回転する毎にパルス信号を出力するものである。そして、そのパルス信号に応じてモータ３１が作動し、内蔵されたニードル弁（図示せず）が前後に移動し開度が増減し、ガス流量が調節される。
【００２１】
ブラケット４７の後方にはガイド部材５が取り付けられている。このガイド部材５は２個の部材であるスライダ６２と規制部材８とを前後方向に移動自在にガイドする機能を有している。なお、このスライダ６２は操作つまみ４１と共に前後方向に移動するので、少なくとも操作つまみ４１が点消火ボタンとして機能する際には、このスライダ６２は操作つまみ４１の一部として機能する。また、正面から見て左側面には規制部材８の位置によってオンオフする２つの接点を内蔵したマイクロスイッチ５１が取り付けられている。右側面には、規制部材８に形成した係合爪８１が突出する窓穴５２が形成されている。さらに同じく右側面にはロック板７が上下方向に揺動自在に取り付けられている。このロック板７にはロック部７２が形成されており、ロック板７が上方に揺動して窓穴５２に重なると、規制部材８の係合爪８１がロック部７２に当接して、規制部材８がそれ以上前方に移動できないように規制部材８の移動がロックされるようにロック機構が構成されている。なお、緩衝窓５４と規制部材８の緩衝爪８３とで、後述する緩衝機構を構成する。
【００２２】
上記スライダ６２には前方に向かって突出するアーム６１が設けられており、このアームは上記内部材４２に回転自在に係合している。従って、操作つまみ４１を押し込むとアーム６１を介してスライダ６２がガイド部材５内を奥側に移動する。また、上記コイルバネ４３の付勢力により操作つまみ４１が前方へと戻されると、アーム６１を介してスライダ６２も前方へと移動する。
【００２３】
スライダ６２にはハートカム６が一体に設けられており、そのハートカム６のカム溝内に先端部７１ａが挿入されるバネ棒７１が、ガイド部材５に揺動自在に保持されている。なお、バネ棒７１の先端部７１ａはロック板７の窓穴７３に挿通されているので、先端部７１ａが揺動して上下方向の位置が変位すると、その変位に合わせてロック板７が上下方向に揺動する。
【００２４】
上記開閉弁部２からは前方に向かってロッド２１が突出しており、開閉弁部２と規制部材８との間にはコイルバネ８２が縮設されている。従って、規制部材８は常に前方に向かってコイルバネ８２によって付勢されているが、操作つまみ４１を押し込むことによってスライダ６２が後方に移動する際、スライダ６２によって規制部材８が押されると、規制部材８も後方へと移動してロッド２１を後方に押すことになる。なお、このロッド２１には後述する元弁２１ａが設けられている。また、スライダ６２が前方へ移動すると、コイルバネ８２の付勢力によって規制部材８も前方へ移動するが、その際、上記ロック板７が上方に揺動してロック部７２が窓穴５２に重なっていると係合爪８１がロック部７２に当接して規制部材８の前方への移動が規制されることは上述の通りである。
【００２５】
図５および図６を参照して、ハートカム６には略ハート形状のカム溝が形成されている。操作つまみ４１が消火位置にある状態では、バネ棒７１の先端部７１ａは図５に示すａの位置にある。その位置から点火の際に操作つまみ４１が点火位置まで押し込まれると、ハートカム６は後方に移動し、その際に先端部７１ａはａからｂに移動する。その移動時に、先端部７１ａは段部Ｄ１を乗り越えるので、点火完了後に操作つまみ４１に対する押し込み力を解除してコイルバネ４３の付勢力によってスライダ６２と共にハートカム６が最前端である火力調節位置に移動する際、先端部７１ａはａには戻らずに段部Ｄ２を越えてｃに移動する。
【００２６】
消火の際には操作つまみ４１を再度押し込むが、その際、先端部７１ａはｃからｄに移動する。なお、ｄに到達する直前に段部Ｄ３を乗り越える。その状態から操作つまみ４１に対する押し込み力を解除すると、コイルバネ４３の付勢力でスライダ６２は前方へ戻り、先端部７１ａは段部Ｄ４を越えて再び消火位置に対応するａに戻る。
【００２７】
図７を参照して、（ａ）は操作つまみ４１が消火位置にある状態を示している。この消火状態では、操作つまみ４１は前面パネル１２とほぼ面一状態になっている。このとき、スライダ６２と規制部材８との間には後述する緩衝機構によって隙間が確保され、スライダ６２と規制部材８とは接触していない。また、規制部材８に対してロッド２１の前端は離れている。そのため、ロッド２１のほぼ中央に取り付けた元弁２１ａは閉弁しており、かつ、電磁安全弁２２の弁体２２ａも閉弁している。このように開閉弁部２を構成する元弁２１ａと弁体２２ａとが共に閉弁しているので、ガスは流量調節部３には流れない。
【００２８】
（ｂ）は操作つまみ４１が点火位置まで押し込まれた状態を示している。このように操作つまみ４１を点火位置まで押し込むと、スライダ６２に押されて規制部材８も後方に移動する。その際ロッド２１も合わせて後方に押されるため、元弁２１ａが開弁すると同時に電磁安全弁の弁体２２ａがロッド２１の後端によって押されて強制的に開弁される。その状態で電磁安全弁２２内の図示しない電磁石に通電し、弁体２２ａに連結されている可動鉄片を電磁石に吸着する。
【００２９】
その状態から操作つまみ４１に対する押し込み力を解除すると、（ｃ）に示すように、操作つまみ４１は前方に突出して燃焼位置に移動する。その際、スライダ６２も合わせて前方に移動するが、上記ロック板７が上方に揺動して規制部材８の前方への移動を規制する。その状態では、ロッド２１は規制部材８に当接しており、元弁２１ａは開弁したままの状態で保持される。また、ロッド２１の後端は、電磁安全弁２２の弁体２２ａが閉弁位置まで戻る際に邪魔しない位置まで退避している。従って、調理中に煮こぼれなどによってバーナが失火すると電磁安全弁２２に通電している吸着保持用の電流を遮断することによって、弁体２２ａを閉弁させ、ガスバーナへのガスの供給を停止させることができる。
【００３０】
図８を参照して、図８の（ａ）は図７の（ｃ）と同じく操作つまみ４１が火力調節位置（燃焼位置）にある状態を示している。規制部材８はバネ８２の付勢力によって図において左方向に移動しようとするが、規制部材８に形成した係合爪８１がロック板７のロック部７２に当接して規制部材８は左方向に移動することができない。なお、この状態ではロック板７は突当部５３に当接して、図において左回りに揺動することができず、また、バネ棒７１の先端７１ａに窓穴７３の内壁が当接して、右回りにも揺動することができない。また、緩衝爪８３は緩衝窓５４内に位置するがいずれにも当接していないので緩衝機構は機能していない状態である。
【００３１】
（ａ）に示す状態から消火すべく操作つまみ４１を押し込むと、バネ棒７１の先端７１ａは図において下方向に移動するが、その移動によってロック板７が直ちに右回りに揺動してロック部７２が係合爪８１から外れると、スライダ６２と規制部材８との距離が離れているので、規制部材８がスライダ６２に向かう移動速度が高速になる。
【００３２】
ところが、（ｂ）に示すように、規制部材８がスライダ６２に衝突する直前で緩衝爪８３が緩衝窓５４の端部５４ａに係合して規制部材８の移動を止め、規制部材８がスライダ６２に衝突しないようにした。このように規制部材８がスライダ６２に衝突しないから、仮に衝突した際に生じるであろう衝撃を大幅に低減させることができる。
【００３３】
このように、規制部材８をスライダ６２に衝突しないようにして衝撃を緩和してもよいが、図９（ａ）に示すように、規制部材８にゴム製のクッション９１を取りつけて衝突時の衝撃を緩和してもよい。また、さらに同図（ｂ）に示すように、規制部材８とスライダ６２との双方に永久磁石９２を、互いに対向する磁極が同種になるように設け、磁力の反発力によって衝突時の速度を減速し衝撃を緩和するようにしてもよい。
【００３４】
なお、本発明は上記した形態に限定されるものではなく、本発明の要旨を逸脱しない範囲内において種々の変更を加えてもかまわない。
【符号の説明】
【００３５】
１ ガスコンロ
２ 開閉弁部
３ 流量調節部
５ ガイド部材
６ ハートカム
７ ロック板
８ 規制部材
１２ 前面パネル
１３ａ 火力調節装置
１３ｂ 火力調節装置
１３ｃ 火力調節装置
１４ グリル庫
１５ 火力調節装置
２１ ロッド
２１ａ 元弁
２２ 電磁安全弁
２２ａ 弁体
３１ モータ
４１ 操作つまみ
４６ ロータリーエンコーダ
５４ 緩衝窓
６２ スライダ
７１ バネ棒
７２ ロック部
８１ 係合爪
８３ 緩衝爪
９１ クッション
９２ 永久磁石
【図１】
2016061482.tif 000003
【図２】
2016061482.tif 000004
【図３】
2016061482.tif 000005
【図４】
2016061482.tif 000006
【図５】
2016061482.tif 000007
【図６】
2016061482.tif 000008
【図７】
2016061482.tif 000009
【図８】
2016061482.tif 000010
【図９】
2016061482.tif 000011